【手続補正書】
【提出日】平成20年2月28日(2008.2.28)
【手続補正１】
【補正対象書類名】特許請求の範囲
【補正対象項目名】全文
【補正方法】変更
【補正の内容】
【特許請求の範囲】
【請求項１】
記録媒体を複製する方法において、
(a)第１の記録媒体から順方向にデータブロックを読み取る段階;
(b)前記第１の記録媒体から逆方向にデータブロックを読み取る段階;
(c)前記第１の記録媒体上に、同一のアドレスを有する第１のデータブロックおよび第２のデータブロックが存在するか否かを検査し、前記第１のデータブロックは(a)段階で読み取られたデータブロックであり、前記第２のデータブロックは(b)段階で読み取られたデータブロックであることを特徴とする段階;および
(d)前記第１の記録媒体から読み取られた前記データブロックを第２の記録媒体に記録し、(c)段階の結果によって、前記第１の記録媒体および前記第２の記録媒体のアドレス構造が同一になるように記録する段階；
を含んでなる記録媒体複製方法。
【請求項２】
前記第２の記録媒体は、コンピュータプログラムによりソフトウェアで具現された仮想の記録媒体であることを特徴とする請求項１に記載の記録媒体複製方法。
【請求項３】
前記第２の記録媒体は、光学的記録媒体(optical medium)であることを特徴とする請求項１に記載の記録媒体複製方法。
【請求項４】
前記第１のデータブロックおよび第２のデータブロックは、互いに異なるデータブロックであることを特徴とする請求項１に記載の記録媒体複製方法。
【請求項５】
前記記録媒体のアドレス構造が同一になるように記録する段階は、前記第１のデータブロックおよび前記第２のデータブロックに同一のアドレスを割り当てて記録することを特徴とする請求項１に記載の記録媒体複製方法。
【請求項６】
前記アドレスは、前記第１の記録媒体および前記第２の記録媒体上において、内側トラック(inner track)から外側トラック(outer track)側に線形に(linearly)増加することを特徴とする請求項１に記載の記録媒体複製方法。
【請求項７】
記録媒体を複製する方法において、
第１のデータブロックおよび第２のデータブロックに同一のアドレスを与える段階;および
順方向読取では前記第１のデータブロックを読み取り、逆方向読取では前記第２のデータブロックを読み取るように、前記データブロックを記録媒体上に記録する段階；
を含んでなる記録媒体複製方法。
【請求項８】
前記記録媒体は、コンピュータプログラムによりソフトウェアで具現された仮想の記録媒体であることを特徴とする請求項７に記載の記録媒体複製方法。
【請求項９】
前記記録媒体は、光学的記録媒体(optical medium)であることを特徴とする請求項７に記載の記録媒体複製方法。
【請求項１０】
前記データブロックは、一つのアドレスに対応する情報単位であることを特徴とする請求項７に記載の記録媒体複製方法。
【請求項１１】
前記第１のデータブロックは、前記第２のデータブロックとは異なる情報を有することを特徴とする請求項７に記載の記録媒体複製方法。
【請求項１２】
前記順方向読取は小さいアドレス値に該当するデータブロックから大きいアドレス値に該当するデータブロック側に順に読み取ることを特徴とする請求項７に記載の記録媒体複製方法。
【請求項１３】
前記アドレスは、初期値から最終値まで線形に増加することを特徴とする請求項１２に記載の記録媒体複製方法。
【請求項１４】
記録媒体を複製する方法において、
所定のアドレス区間内に少なくとも一つのデータブロックに同一のアドレスを与える段階;および
同一のアドレスが与えられた前記データブロックが、読み取り方向によって異なるデータブロックが読み取られるように、前記データブロックを写本記録媒体に複製する段階；
を含んでなる記録媒体複製方法。
【請求項１５】
前記写本記録媒体は、コンピュータプログラムによりソフトウェアで具現された仮想の記録媒体であることを特徴とする請求項１４に記載の記録媒体複製方法。
【請求項１６】
前記写本記録媒体は、光学的記録媒体(optical medium)であることを特徴とする請求項１４に記載の記録媒体複製方法。
【請求項１７】
少なくとも一つの方向に原本記録媒体を読み取る段階をさらに含んでなる請求項１４に記載の記録媒体複製方法。
【請求項１８】
前記原本記録媒体は、前記写本記録媒体と同一のアドレス構造を有することを特徴とする請求項１７に記載の記録媒体複製方法。
【請求項１９】
記録媒体を複製する方法において、
原本記録媒体からのデータブロックの読取において、どのデータブロックを読み取るかは、データブロックに相応するアドレスおよび読み取り方向によって定められることを特徴とする段階;および
前記原本記録媒体と同一のアドレス構造を有するように写本記録媒体上に前記データブロックを記録する段階；
を含んでなる記録媒体複製方法。
【請求項２０】
前記第２の記録媒体は、コンピュータプログラムによりソフトウェアで具現された仮想の記録媒体であることを特徴とする請求項１９に記載の記録媒体複製方法。
【請求項２１】
前記第２の記録媒体は、光学的記録媒体(optical medium)であることを特徴とする請求項１９に記載の記録媒体複製方法。
【請求項２２】
前記読み取り方向は、順方向読取および逆方向読取を含むことを特徴とする請求項１９に記載の記録媒体複製方法。
【請求項２３】
前記順方向読取は、アドレス値が増加する方向に読み取ることを特徴とする請求項２２に記載の記録媒体複製方法。
【請求項２４】
記録媒体を複製する装置において、
第１の記録媒体から第１の方向および第２の方向にデータブロックを読み取る読取ユニット(reading unit);
前記第１の記録媒体上に同一のアドレスを有する２つの異なるデータブロックが存在するか否かを識別する識別ユニット(detecting unit);および
前記識別されたデータブロックが同一のアドレスを有するように、前記読み取られたデータブロックを第２の記録媒体上に記録する記録ユニット(recording unit)；
を含んでなる記録媒体複製装置。
【請求項２５】
前記第２の記録媒体は、前記第１の記録媒体と同一のアドレス構造を有することを特徴とする請求項２４に記載の記録媒体複製装置。
【請求項２６】
前記２つの異なるデータブロックのうち、一方は前記第１の方向に読み取ったものであり、もう一方は前記第２の方向に読み取ったものであることを特徴とする請求項２４に記載の記録媒体複製装置。
【請求項２７】
前記第１の方向は順方向であり、前記第２の方向は逆方向であることを特徴とする請求項２６に記載の記録媒体複製装置。
【請求項２８】
前記識別ユニットは、前記第１の記録媒体上に与えられたアドレス区間において識別機能を行うことを特徴とする請求項２４に記載の記録媒体複製装置。
【請求項２９】
記録媒体を認識する方法において、
(a)第１の記録媒体から順方向にデータブロックを読み取る段階;
(b)前記第１の記録媒体から逆方向にデータブロックを読み取る段階;
(c)前記第１の記録媒体上に、同一のアドレスを有する第１のデータブロックおよび第２のデータブロックが存在するか否かを検査し、前記第１のデータブロックは(a)段階で読み取られたデータブロックであり、前記第２のデータブロックは(b)段階で読み取られたデータブロックであることを特徴とする段階;および
(d)(c)段階の結果によって、前記第１の記録媒体のアドレス構造を認識する段階；
を含んでなる記録媒体認識方法。
【請求項３０】
前記(d)段階の結果によって、前記第１の記録媒体および第２の記録媒体のアドレス構造が同一になるように、前記第１の媒体から読み取られたデータブロックを前記第２の記録媒体に記録する段階をさらに含んでなる請求項２９に記載の記録媒体認識方法。